(57)【特許請求の範囲】
【請求項１】
有底の第１胴部２上端から起立する第１口頸部３中間部に第１，第２外向きフランジ４，５を間隔を設けて上下に付設した可撓性に富む袋状の内容器体１と、該内容器体の第１口頸部３の上部外面に嵌合させた装着筒１４から内容器体１内へシリンダ１５を垂下すると共に、該シリンダ内面へ嵌合させかつ上方付勢された筒状ピストンからステムを起立し、該ステム上端にノズル付きヘッド１６を装着させたヘッド押下げ式のポンプ１３と、上記内容器体１外面に、有底の第２胴部２３上端から第２口頸部２４を起立した外容器体を左右に切り離して嵌合させると共に、その第２口頸部２４上端を上記第１外向きフランジ４下面へ、かつ第２口頸部２４下端を上記第２外向きフランジ５上面へ、それぞれ係合させ、また、左右両外容器体部分２０ａ，２０ｂの切り離し部周縁にそれぞれ付設した第３外向きフランジ状壁２１，  ２１を相互に当接させ、かつ、前後いずれか一方に定めた側の第３外向きフランジ状壁２１，  ２１側縁をヒンジ２２を介して相互に結合させた肉薄の外容器体２０と、該外容器体の底壁を、リング部２７内面に複数架設されかつ少なくとも一つを前後直径方向に設けた補強板部２８ａ，２８ｂ上面へ載置させ、また、上記リング部２７の外面前後両部から柱部２９，  ２９を起立して、これ等柱部上端間に架設した左右一対の半円形帯状部３０，  ３０を上記外容器体２０の第２胴部２３上端部外面へ嵌合させ、更に、上記両柱部２９，  ２９および前後直径方向の補強板部２８ａに穿設した凹溝３１，  ３１内へ上記第３外向きフランジ状壁２１，  ２１を強制引き抜き可能にそれぞれ嵌合させた枠状体２５とで形成した形成した液体吐出容器。
【請求項２】
有底の第１胴部２上端から第１口頸部３を起立し、また、該第１口頸部下部および第１胴部２の各壁面前後両側に第１外向きフランジ状壁10を、かつ底壁下面に前後方向の第２外向きフランジ状壁11を、それぞれ付設した可撓性に富む袋状の内容器体１と、該内容器体の第１口頸部３外面に嵌合させた装着筒14から内容器体１内へシリンダ15を垂下すると共に、該シリンダ内面へ嵌合させかつ上方付勢された筒状ピストンからステムを起立し、該ステム上端にノズル付きヘッド16を装着させたヘッド押下げ式のポンプ13と、上記内容器体１外面に、有底の第２胴部23上端から第２口頸部24を起立した外容器体を左右に切り離して嵌合させ、また、左右両外容器体部分20ａ,20bの切り離し部周縁にそれぞれ付設した第３外向きフランジ状壁21, 21で上記第１，第２外向きフランジ状壁10, 11を挟持させ、かつ、前後いずれか一方に定めた側の第３外向きフランジ状壁21, 21側縁をヒンジ22を介して相互に結合させた肉薄の外容器体20と、該外容器体の底壁を、リング部27内面に複数架設されかつ少なくとも一つを前後直径方向に設けた補強板部28ａ,28b上面へ載置させ、また、上記リング部27の外面前後両部から柱部29, 29を起立して、これ等柱部上端間に架設した左右一対の半円形帯状部30, 30を上記外容器体20の第２胴部23上端部外面へ嵌合させ、更に、上記両柱部29, 29および前後直径方向の補強板部28ａに穿設した凹溝31, 31内へ上記各外向きフランジ状壁10,11、21を強制引き抜き可能にそれぞれ嵌合させた枠状体25とで形成した液体吐出容器。
【発明の詳細な説明】
【０００１】
【発明の属する技術分野】
本発明は、ポンプ式の液体吐出容器に係る。
【０００２】
【従来の技術】
【発明が解決しようとする課題】
例えば、実開平４−１３２０６４号公報が示すようなヘッド押下げ式のポンプ式吐出容器が知られている。該容器は、下端を着脱可能な底蓋で閉塞させた胴部上端から口頸部を起立した外容器体と、該外容器体胴部内へ収納させた袋状胴部上端から外容器体口頸部内を通って上方へ吐出筒を起立させ、該吐出筒上部に外向きフランジを付設した袋状内容器と、上記外向きフランジと外容器体口頸部上端との間の吐出筒部分へＣ字形板部を強制引き抜き可能に嵌合させると共に、該Ｃ字形板部の上面内周部を上記外向きフランジ下面へ、かつＣ字形板部下面を口頸部上端面へ、それぞれ係合させ、また、そのＣ字形板部の上面外周部に摘み部を付設した支持板と、容器体口頸部に螺合させた装着筒から上記吐出筒を通して袋状体内へシリンダを垂設し、該シリンダ内面から上方へ付勢させてノズル付きヘッドを上端部に有する作動部材を起立するヘッド押下げ式のポンプとで形成し、その袋状内容器の交換は、外容器体からポンプおよび底蓋を取り外し、かつＣ字形板部を強制引き抜きして、外容器体内から袋状内容器を取り出し、次いで、外容器体内へ交換用の袋状内容器を収容させ、かつ該袋状内容器の吐出筒外面へＣ字形板部を強制嵌合させることで行っている。
【０００３】
しかしながら、袋状内容器は肉薄で柔軟であるため扱い難く、袋状内容器を交換する際、吐出筒がぐらついて容器体口頸部内へ円滑に嵌合できず、袋状内容器を交換するのに手数を要することがあった。また、収納物吐出により袋状内容器が収縮するが、該収縮の過程で袋状内容器の壁面間に収納物が吸上げ不能に残存して無駄となることがあった。
【０００４】
請求項１の容器は、袋状内容器を容易に交換できるよう設けた。
請求項２の容器は、上記請求項１の容器が有する解決課題の他に、袋状内容器の収納物を残らず吐出できるよう設けた。
【０００５】
【課題を解決するための手段】
第１の手段として、有底の第１胴部２上端から起立する第１口頸部３中間部に第１，第２外向きフランジ４，５を間隔を設けて上下に付設した可撓性に富む袋状の内容器体１と、該内容器体の第１口頸部３の上部外面に嵌合させた装着筒１４から内容器体１内へシリンダ１５を垂下すると共に、該シリンダ内面へ嵌合させかつ上方付勢された筒状ピストンからステムを起立し、該ステム上端にノズル付きヘッド１６を装着させたヘッド押下げ式のポンプ１３と、上記内容器体１外面に、有底の第２胴部２３上端から第２口頸部２４を起立した外容器体を左右に切り離して嵌合させると共に、その第２口頸部２４上端を上記第１外向きフランジ４下面へ、かつ第２口頸部２４下端を上記第２外向きフランジ５上面へ、それぞれ係合させ、また、左右両外容器体部分２０ａ，２０ｂの切り離し部周縁にそれぞれ付設した第３外向きフランジ状壁２１，  ２１を相互に当接させ、かつ、前後いずれか一方に定めた側の第３外向きフランジ状壁２１，  ２１側縁をヒンジ２２を介して相互に結合させた肉薄の外容器体２０と、該外容器体の底壁を、リング部２７内面に複数架設されかつ少なくとも一つを前後直径方向に設けた補強板部２８ａ，２８ｂ上面へ載置させ、また、上記リング部２７の外面前後両部から柱部２９，  ２９を起立して、これ等柱部上端間に架設した左右一対の半円形帯状部３０，  ３０を上記外容器体２０の第２胴部２３上端部外面へ嵌合させ、更に、上記両柱部２９，  ２９および前後直径方向の補強板部２８ａに穿設した凹溝３１，  ３１内へ上記第３外向きフランジ状壁２１，  ２１を強制引き抜き可能にそれぞれ嵌合させた枠状体２５とで形成した。
【０００６】
第２の手段として、有底の第１胴部２上端から第１口頸部３を起立し、また、該第１口頸部下部および第１胴部２の各壁面前後両側に第１外向きフランジ状壁10を、かつ底壁下面に前後方向の第２外向きフランジ状壁11を、それぞれ付設した可撓性に富む袋状の内容器体１と、該内容器体の第１口頸部３外面に嵌合させた装着筒14から内容器体１内へシリンダ15を垂下すると共に、該シリンダ内面へ嵌合させかつ上方付勢された筒状ピストンからステムを起立し、該ステム上端にノズル付きヘッド16を装着させたヘッド押下げ式のポンプ13と、上記内容器体１外面に、有底の第２胴部23上端から第２口頸部24を起立した外容器体を左右に切り離して嵌合させ、また、左右両外容器体部分20ａ,20bの切り離し部周縁にそれぞれ付設した第３外向きフランジ状壁21, 21で上記第１，第２外向きフランジ状壁10, 11を挟持させ、かつ、前後いずれか一方に定めた側の第３外向きフランジ状壁21, 21側縁をヒンジ22を介して相互に結合させた肉薄の外容器体20と、該外容器体の底壁を、リング部27内面に複数架設されかつ少なくとも一つを前後直径方向に設けた補強板部28ａ,28b上面へ載置させ、また、上記リング部27の外面前後両部から柱部29, 29を起立して、これ等柱部上端間に架設した左右一対の半円形帯状部30, 30を上記外容器体20の第２胴部23上端部外面へ嵌合させ、更に、上記両柱部29, 29および前後直径方向の補強板部28ａに穿設した凹溝31, 31内へ上記各外向きフランジ状壁10,11、 21を強制引き抜き可能にそれぞれ嵌合させた枠状体25とで形成した。
【０００７】
【発明の実施の形態】
第１実施形態（図１〜図３）
１は可撓性に富む袋状の内容器体であり、該内容器体は、有底の第１胴部２上端から肩部を介して第１口頸部３を起立し、該第１口頸部中間部に第１，第２外向きフランジ４，５を間隔を設けて上下に付設し、かつ第１外向きフランジ４上方の第１口頸部部分外面に螺条を周設し、また、第１胴部２、肩部および第１口頸部３下部の各壁面前後両側に第１外向きフランジ状壁１０を、かつ第１胴部２下端の底壁下面に前後方向の第２外向きフランジ状壁１１を、それぞれ付設している。
【０００８】
１３はヘッド押下げ式のポンプであり、該ポンプは、公知であるので簡単に説明すると、上記第１外向きフランジ４上方の第１口頸部部分外面に螺合させた装着筒１４から上記内容器体１内へシリンダ１５を垂下すると共に、該シリンダ内面に嵌合させかつ上方付勢された筒状ピストンからステムを起立し、該ステム上端にノズル付きヘッド１６を装着させ、また、シリンダ１５下端から垂設する筒部１７内面へ棒状部１８上端部を嵌着させている。該棒状部は、内容器体１内収納物をシリンダ１５へ案内するもので、横断面形状を十字形とすることで、収納物吐出により内容器体１が収縮して棒状部１８外面に密着して吐出の妨げとならないよう形成している。
【０００９】
２０は肉薄の外容器体であり、該外容器体は、図１が示す状態に成形され、左右に切り離した両外容器体部分２０ａ，２０ｂの切り離し部周縁に第３外向きフランジ状壁２１，  ２１をそれぞれ付設すると共に、前後いずれか一方に定めた側の第３外向きフランジ状壁側縁をヒンジ２２を介して相互に結合させ、該状態から、左右両外容器体部分２０ａ，２０ｂの一方へ上記内容器体１の一半部を嵌合させ、かつ上記ヒンジ２２を中心に他方の外容器体部分を回動させることで、上記内容器体１の他半部を嵌合させ、かつ該状態では、有底の第２胴部２３上端から肩部を介して起立する第２口頸部２４上端を上記内容器体１の第１外向きフランジ４下面へ、かつ第２口頸部２４下端を上記内容器体１の第２外向きフランジ５上面へ、それぞれ係合させている。
【００１０】
２５は枠状体であり、該枠状体は、リング部２７内面に補強板部２８ａ，２８ｂを、複数かつ少なくとも一つを前後直径方向に架設して、それ等補強板部上面へ上記外容器体２０の底壁を載置させると共に、上記リング部２７の外面前後両部から柱部２９，  ２９を起立して、これ等柱部上端間に架設した左右一対の半円形帯状部３０，  ３０を上記外容器体２０の第２胴部２３上端部外面へ嵌合させ、また、上記両柱部２９，  ２９および前後直径方向の補強板部２８ａに穿設した凹溝３１，  ３１内へ既述第３外向きフランジ状壁２１，  ２１を強制引き抜き可能に嵌合させている。
【００１１】
内容器体１の交換は以下のように行われ、図２が示す状態から、枠状体２５の凹溝３１，  ３１内から外容器体２０の第３外向きフランジ状壁２１，  ２１を強制引き抜きして枠状体２５を取り外し、かつ該状態からヒンジ２２を中心に一方外容器体部分を回動させて内容器体１を取り出し、更にポンプ１３を取り外して交換用の内容器体１へ装着させ、かつ該内容器体を外容器体２０内へ嵌合させ、最後に、枠状体２５の凹溝３１，  ３１内へ外容器体２０の第３外向きフランジ状壁２１，  ２１を嵌合させる。
【００１２】
第２実施形態（図４， 図５）
本実施形態については、第１実施形態と相違する構造のみ説明する。内容器体１は、第１口頸部３外面に第１, 第２外向きフランジ４, ５を付設することを省略し、かつ第１口頸部３を第１実施形態に比して起立高を低くし、該第１口頸部下部の小外径部外面を外容器体20の第２口頸部24内へ嵌合させ、また、内容器体１の第１，第２外向きフランジ状壁10, 11を外容器体20の第３外向きフランジ状壁21, 21で挟持させ、更に、枠状部25の補強板部28ａおよび柱部29, 29の各凹溝31, 31を第１実施形態と比して巾広に形成して、図５が示すように、両凹溝内に、各外向きフランジ状壁10,11、21を強制引き抜き可能に嵌合させている。
【００１３】
本実施形態では、内容器体１の第１，  第２外向きフランジ４，  ５を外容器体２０の第３外向きフランジ状壁２１，  ２１で挟持させたので、収納物を吐出させると、内容器体１が左右方向に潰れて、最終的には平板状に収縮することになる。
【００１４】
【発明の効果】
本発明は上記構成とするものであり、請求項１記載の容器は、内容器体１外面に、外容器体２０を左右に切り離して嵌合させて、該外容器体の第２口頸部２４上端を内容器体１の第１外向きフランジ４下面へ、かつ第２口頸部２４下端を内容器体１の第２外向きフランジ５上面へ、それぞれ係合させ、また、左右両外容器体部分２０ａ，２０ｂの切り離し部周縁に付設した第３外向きフランジ状壁２１，  ２１を相互に当接させ、かつ、前後いずれか一方に定めた側の第３外向きフランジ状壁２１，  ２１側縁をヒンジ２２を介して結合させ、更に、枠状体２５のリング部２７内面に架設した補強板部２８ａと、リング部２７の外面前後両部から起立する柱部２９，  ２９に、それぞれ凹溝３１，  ３１を穿設して、これ等凹溝内へ外容器体２０の第３外向きフランジ状壁２１，  ２１を強制引き抜き可能に嵌合させたから、凹溝３１，  ３１内から外容器体２０の第３外向きフランジ状壁２１，  ２１を強制引き抜きして、枠状体２５から外容器体２０を取り外し、かつ該状態からヒンジ２２を中心に一方外容器体部分を回動させることで、内容器体１を容易に取り出すことができ、また、該状態からポンプ１３を装着させて交換用の内容器体１を外容器体２０内へ嵌合させ、かつ枠状体２５の凹溝３１，  ３１内へ外容器体２０の第３外向きフランジ状壁２１，  ２１を嵌合させることで、内容器体１の交換が完了することになり、内容器体１が扱い易くて交換が容易となり、また、外容器体２０の第３外向きフランジ状壁２１，  ２１を枠状体２５の凹溝３１，  ３１内へ嵌合させたから、枠状体２５を外容器体２０を確実に取付けることができる。
【００１５】
請求項２記載の容器は、内容器体１の第１口頸部３下部および第１胴部２の各壁面前後両側に第１外向きフランジ状壁10を、かつ内容器体１の底壁下面に前後方向の第２外向きフランジ状壁11を、それぞれ付設し、また、内容器体１外面に外容器体20を左右に切り離して嵌合させ、左右両外容器体部分20ａ,20bの切り離し部周縁に付設した第３外向きフランジ状壁21, 21で第１，第２外向きフランジ状壁10, 11を挟持させ、かつ、前後いずれか一方に定めた側の第３外向きフランジ状壁21, 21側縁をヒンジ22を介して相互に結合させ、更に、枠状体25のリング部27内面に架設した補強板部28ａと、リング部27の外面前後両部から起立する柱部29, 29に、それぞれ凹溝31, 31を穿設して、
これ等凹溝内へ各外向きフランジ状壁10,11、21を強制引き抜き可能に嵌合させたから、請求項１の効果を有し、かつ外容器体20の第３外向きフランジ状壁21, 21で内容器体１の第１，第２外向きフランジ状壁10, 11を挟持させたから、収納物を吐出させると、内容器体１が左右方向に潰れて、最終的には平板状に収縮することとなり、よって、内容器体１内の収納物を残らず吐出させることができる。
【図面の簡単な説明】
【図１】本発明容器の第１実施形態を示す分解斜視図である。
【図２】同実施形態の斜視図である。
【図３】同実施形態の拡大部分横断面図である。
【図４】本発明容器の第２実施形態の内容器体の斜視図である。
【図５】同実施形態の拡大部分横断面図である。
【符号の説明】
１…内容器体  １３…ポンプ  ２０…外容器体
２５…枠状体
【図１】
0003597296.tif 000002
【図２】
0003597296.tif 000003
【図３】
0003597296.tif 000004
【図４】
0003597296.tif 000005
【図５】
0003597296.tif 000006